(57)【要約】【課題】  介護用車椅子、シルバーカート、ベビーカー、ショッピングカートなどキャスターを使用している用具の雪国での冬季間の屋外での使用を可能とする用具を提供する。【解決手段】キャスター車輪を着脱可能に保持するための挟持体本体と、該挟持体本体下面に着脱可能に装着保持されるスキー本体とを組み合わせることを特徴とする。【選択図】図４
2020026260.tif 000002
【特許請求の範囲】
【請求項１】
キャスター車輪を着脱可能に保持するための挟持体本体と、該挟持体本体下面に着脱可能に装着保持されるスキー本体との組み合わせよりなることを特徴とするキャスター用簡易着脱スキー。
【請求項２】
挟持体本体に、複数個の車輪受け押さえと、車輪ロック手段を設けてなる請求項１記載のキャスター用簡易着脱スキー。
【請求項３】
挟持体本体とスキー本体との係止において、挟持体本体側面に突設された挟持体受けと、スキー本体に立設された支持フック鍵板との係止によるものとした請求項１または２記載のキャスター用簡易着脱スキー。
【請求項４】
挟持体本体とスキー本体とを固着一体化してなる請求項１または２記載のキャスター用簡易着脱スキー。
【発明の詳細な説明】
【技術分野】
【０００１】  本発明は、人力で押す介護用車椅子、シルバーカート、ベビーカー、ショッピングカートなどのキャスターを使用している用品に、冬期の雪上運行を可能にすることを目的とし、簡便に車輪に着脱できる構造のキャスター用簡易着脱スキーに関するものである。
【背景技術】
【０００２】  従来、介護用車椅子、シルバーカート、ベビーカー、ショッピングカートなどキャスターを使用している用具は、前輪が雪に埋もれやすいため、雪国の冬季間の屋外での使用は困難であった。
従来の車椅子用のスキーは車輪の車軸にスキーの支持板をボルトで固定するか、バネを利用してスキーを上下する構造であったり、外国のもので車輪を挟む金属製の調整ボルトの付いた直角支持板と板バネを設け、確実に車輪を押さえるためのメタルレバーで強く挟み止めるものであり、高価で一般的に求める事ができないものであった。
【先行技術文献】
【０００３】
【特許文献１】特開２０００−２３２９９６
【特許文献２】特開平１１−１１３９６９
【実用新案文献１】
実用新案登録第３１８０３６１号
【０００４】
【非特許文献１】ｏｔｔｏｂｏｃｋ．のホームページ「ホイールブレード」
【非特許文献２】株式会社特殊衣料  キャスタースキー
【発明の概要】
【発明が解決しようとする課題】
【０００５】  従来、介護用車椅子、シルバーカート、ベビーカー、ショッピングカート等のように人力で押す、引くを用とする用具は、雪上では車輪が雪に埋まり、前後に動かすことが出来ない、或いは動かしにくいなどの理由で、雪降る冬期間の屋外で使用するには不便であった。スキー競技用やスキー場で雪遊びをするデュアルスキー、バイスキーはあるが、一般的な生活で使用できるものでない。
また、車椅子用のスキーとして開発されたものもあるが、車輪の車軸にボルトなどで固定するため、容易に取り付け、取り外しの出来ない構造か、外国のもので車輪を挟む金属製の調整ボルトの付いた直角支持板と板バネを設け、確実に車輪を押さえるためのメタルレバーで強く挟み止めるものであり、その上、高価であった。【０００６】  本発明は、以上のような従来の欠点に鑑み、介護用車椅子やシルバーカート、ベビーカー、ショッピングカート等のキャスターにスキーを容易に設ける課題を解決するために発明されたものである。そして介護用車椅子、シルバーカート、ベビーカー、ショッピングカート等のキャスターに取り付け、取り外しの着脱が容易にできる反発弾性の特性を持つ材質で設けられる新規かつ有用なる手段を得ることを目的として開発されたキャスター用簡易着脱スキーを提供することを目的としている。
【課題を解決するための手段】
【０００７】  課題を解決する手段として本発明は以下の構成とした。
すなわち、キャスター車輪を着脱可能に保持するための挟持体本体と、該挟持体本体下面に着脱可能に装着保持されるスキー本体とを組み合わせる。
本発明は以上の構成よりなるキャスター用簡易着脱スキーである。
【発明の効果】
【０００８】  本発明は、以下の効果を有する。
従来からキャスターを使用していた用具は、車輪が小さいため雪に埋まり動かすことが困難であったが、着脱が簡単なキャスター用簡易着脱スキーでは、
１．キャスター用簡易着脱スキーは、雪のある屋外に出る場合、楽に車輪に装着が可能    であり、介護する人の負担が少ない。
２．デイサービスなど車を利用して要介護者を送迎する場合、夏場と違い各家の玄関ま    で車を着けることが出来ず、キャスター用簡易着脱スキーを使うことで送迎者の負担    が軽減できる。
３．冬場は天気が良くても車椅子での外出は出来なかったが、これが可能になる。
４．シルバーカー、ベビーカーも同様で、冬の時期は使用を断念していたものが、本発    明では着脱が簡単であり、特に年配者にとって近くの散歩や買い物が可能になる。
５．砂丘などのある所でも使用が可能になる。しかし、冬場と同様に坂のある所では注    意を要する。
６．冬季間に災害が発生した場合、車椅子での避難は困難であり、介護する人にとって    も負担は大きいものである。従来は避難するのに要介護者一人に対し二人〜三人の人    手が必要であったが、キャスター用簡易着脱スキーがあれば車いすでの避難が可能で    あり、人手も助かる。
７．キャスター用簡易着脱スキー１は、狭持体本体１０をスキー本体１１のソケット１    ２に嵌入することで一体になる構造で、狭持体本体１０やスキー本体１１の何れが破    損した場合でも安価で交換が可能である。またスキー本体１１を変えず、車椅子のキ    ャスターのサイズに合う狭持体本体１０を選べる利点がある。
【図面の簡単な説明】
【０００９】
【図１】  本発明の使用説明図
【図２】  本発明の狭持体本体の説明図
【図３】  本発明のキャスター用簡易着脱スキーの分割説明図
【図４】  本発明のキャスター用簡易着脱スキーの説明図
【図５】  本発明の狭持体本体の右側面図
【図６】  本発明の狭持体本体の左側面図
【図７】  本発明の狭持体本体の右側面図（車輪付き）
【図８】  本発明の狭持体本体の平面図
【図９】  本発明の車輪装着時の狭持体本体説明図
【図１０】  本発明のキャスター用簡易着脱スキー正面図
【図１１】  本発明の装着時のキャスター用簡易着脱スキーの説明図（右側面視）
【図１２】  本発明の装着時のキャスター用簡易着脱スキーの説明図（左側面視）
【図１３】  本発明他例の要部説明図
【図１４】  本発明他例の要部説明図
【図１５】  本発明他例の要部説明図
【発明を実施するための形態】
【００１０】  以下、本発明の実施形態について説明する。
キャスター用簡易着脱スキー１は、スキー本体を保持するための狭持体本体１０と雪面上を移動するためのスキー本体１１からなり、狭持体本体１０をスキー本体１１に嵌入保持できるように構成される。スキー本体は、その前部を上向き円弧状先鋭に形成し、その後部には上向き斜面部を形成している。この形成にて、使用時におけるスキー本体の雪路への抵抗を極小化している。
図２のように狭持体本体１０は、合成樹脂板製で反発弾性の特性を持ち、向かい合わせに相対する内側方向に反発する板バネ状の働きをする右側面板７と左側面板８と底板６から成り、その底板６の上面略中央に、円弧形板状の車輪受け３をその底部を固着して設け、右側面板７と左側面板８の内側上部に車輪受け押え２を設ける。
この車輪受け押さえは、合成樹脂製短円柱体であって、双方の側面板の上縁近傍内面に固着される。これにて装着する車輪２８の横ブレを防ぎ、安定性も確保される構造である。
また、右側面板と左側面板には、図６にて示すように切れ込み１９が設けられ、これにて、挟持体本体にキャスター車輪が挿入されたときの車輪受け押さえの反発弾性が発揮される。
【００１１】  さらに図５、図６のように車輪２８が狭持体本体１０から外れないように右側面板７と左側面板８の前側を後ろ側より高くし、図８、図９、図１０のように挟持体本体の左右に、雌ネジを有する車輪ロックネジ受け部１６と車輪ロックネジ１８を設けたことで、このネジ螺合による締め込みにて、タイヤ内側の車輪受け押え２とで車輪が確実に挟持体本体に固定されよう構成される。
また、図５、図６の右側面板７と左側面板８の外側面にスキー本体１１と掛合する一対の三角状の狭持体支持受け４を設けた。この挟持体支持受けは、断面三角形状短棒体であって、その上面に平面部が位置している。
図２、図３のように狭持体本体１０の後方側面下部には狭持体本体１０の前後移動を防止する小四角板による狭持体維持部５を備え、この狭持体維持部５は、スキー本体１１上部に設けられた、狭持体本体１０の底面部を嵌め込む凹部を有するソケット１２内の狭持体固定枠１３に嵌入する。さらにスキー本体１１上面に設けられた、下向き凸部を有する支持フック鍵板ａ１４と支持フック鍵板ｂ１５が狭持体本体１０に設けた狭持体支持受け４と掛合し、キャスター用簡易着脱スキー１として一体化する構成である。
この支持フック鍵板ｂは、略Ｌ形を含むＴ形小板体を有し、これへの押圧にてこの支持フック鍵板は開くので、スキー本体から挟持体本体を容易に外すことができる。
１６は車輪ロックネジ受け部で、左側面板にその一端が固着される略円柱体であって雌ネジによる車輪ロックネジ穴１７を有している。１８は雄ネジを刻設した車輪ロックネジで、蝶ネジスタイルである。この車輪ロックネジは車輪ロックネジ穴に螺合する。
【００１２】  本発明は以上の構成で、これを使用する場合は、キャスター用簡易着脱スキー１の右側面板７と左側面板８の前後に設けた車輪ロックネジ１８を緩め、キャスターの車輪を左側面板と右側面板の間に挿入し、車輪受け板３が車輪を受け止める。
次に左右の側面板の前後に設けた車輪ロックネジ１８を締めると、左右側面板の内側に設けた車輪受け押え２で車輪が確実に固定されて使用が可能になり、着脱が楽にできる構造である。キャスター用簡易着脱スキー１を外す場合は、前後に設けた車輪ロックネジ１８を緩め、キャスターの車輪から挟持体本体を離脱させることができる。
【００１３】  キャスター用簡易着脱スキー１の狭持体本体１０は、反発弾性の特性を持つプラスチックだけでなく、金属板や金属の板バネのように反発力のある材質が使用可能である。
狭持体本体１０を反発弾性の特性を持つ材質にすることで、キャスターの離脱を可能にする。また、材質により狭持体本体１０とスキー本体１１の固着方式等による一体構造も可能であり、機能に影響はない。この場合は、挟持体本体とスキー本体の係止手段は不要となる。
【００１４】  円弧状の車輪受け３と車輪受け押え２を設けることで、車輪の横ブレと挟み込みが安定し、車輪ロックネジ受け部１６と車輪ロックネジ１８によって、不安定な雪道などでも、さらに安定性が増す構造になっている。
【００１５】  狭持体本体１０の側面に設けた狭持体支持受け４とスキー本体１１の上面に設けた支持フック鍵板ａ１４、支持フック鍵板ｂ１５は掛合する構造である。
キャスターの車輪サイズごとに狭持体本体１０を製造すると、スキー本体１１は変えることなく着脱が可能である。また、狭持体本体１０とスキー本体１１のどちらかが破損などで支障をきたした場合には、どちらかを取り換えることができる構造となっている。
【００１６】  本発明は、車輪ロックネジ受け部１６、車輪ロックネジ１８で車輪を確実に固定調整できる特徴がある。車椅子等の車輪の直径サイズのインチが同一でも幅がメーカーによって異なり、車輪ロックネジ受け部１６、車輪ロックネジ１８の構成にすることで、異なる車輪幅５ｍｍから８ｍｍほどの差に対応でき、締付固定調整が可能である。
【００１７】  図１３から図１５は車輪を固定する別例として記したもので、この他にも多くの方法があるが、主目的は使用中に外れず確実に固定することことにある。
図１３は挟持体本体に車輪を挿入後、ロックするための他例である。
図において、２２は球を有する掛け紐で、その一端は挟持体本体端部に固着され、他端には別球が設けられる。２３は掛け部で、切り欠きのある小板体であり、側面板に突設される。これを使用するには、掛け紐を回して図に示す掛け紐の球を掛け部の向こう側になるように、切り欠きにこの紐を通すことにて、車輪をロックする構成である。
この紐には、適度の伸縮性があることが好ましく、これにて掛け紐が安定保持される。
【００１８】  図１４は、前例の掛け紐に代えてロック棒、掛け部に代えてロック部を用いた例である。
ロック棒は両端に鍔部を有する短円柱体、ロック部は、図のごとく２個の折曲部を有する小板体であって、その一方の折曲部には切り欠きと孔が設けられる。
このロック部は一対が対向配置固定され、その接近距離はロック棒長に近似である。
ロック棒もしくはロック部は弾力性素材にて形成される。
使用については、図のようにロック棒をロック部の切り欠きより圧入し、ロック棒は孔内に安定保持されて、挟持体本体に車輪を保持することができる。
【００１９】  図１５は、ロック鍵３０とロック鍵受け３１を用いる例である。
ロック鍵は平面視略コ字形の少し弾力のある小板体であって、その一端には前記した支持フック鍵板ａと同様形状の部分が設けられる。このロック鍵の他端は挟持体本体側面に固着される。ロック鍵受けは、前記の挟持体支持受け４と同様構成であって、挟持体本体側面に固着される。
使用に際しては、図のごとくロック鍵を回してロック鍵受けに引っかけて留める。
これにて挟持体本体の側面板の開きを防止して挿入車輪を保持することができる。
なお、これらの例は、特定した車輪巾に対してのみ有効である。
【００２０】  以上のごとく本発明により、介護用車椅子、シルバーカート、ベビーカー、ショッピングカー以外、キャスターを使用している用具も冬季間の使用が可能になり、冬道降雪路面での円滑なる走行を可能とすることができる。
【符号の説明】
【００２１】  １  キャスター用簡易着脱スキー
２  車輪受け押え
３  車輪受け板
４  挟持体支持受け
５  狭持体維持部
６  底板
７  右側面板
８  左側面板
１０  狭持体本体
１１  スキー本体
１２  ソケット
１３  狭持体固定枠
１４  支持フック鍵板ａ
１５  支持フック鍵板ｂ
１６  車輪ロックネジ受け部
１７  車輪ロックネジ穴
１８  車輪ロックネジ
１９  切れ込み
２２  掛け紐
２３  掛け部
２４  ロック棒
２５  ロック部
２８  車輪
３０  ロック鍵
３１  ロック鍵受け
【図１】
2020026260.tif 000003
【図２】
2020026260.tif 000004
【図３】
2020026260.tif 000005
【図４】
2020026260.tif 000006
【図５】
2020026260.tif 000007
【図６】
2020026260.tif 000008
【図７】
2020026260.tif 000009
【図８】
2020026260.tif 000010
【図９】
2020026260.tif 000011
【図１０】
2020026260.tif 000012
【図１１】
2020026260.tif 000013
【図１２】
2020026260.tif 000014
【図１３】
2020026260.tif 000015
【図１４】
2020026260.tif 000016
【図１５】
2020026260.tif 000017